(57)【要約】【課題】  電源プラグをコンセントから抜かない状態でも待機電力を削減できるようにして使い勝手を良くする。【解決手段】  商用電源を開閉する電源遮断手段２２が制御回路２の商用電源の入力に直列に設けられ、前記電源遮断手段２２と並列に電源遮断時の再通電手段２３を設け、この再通電手段２３は蓋１２の開閉と連動して電源の開閉を行ない、マイクロコンピュータ４は全動作が停止している状態があらかじめプログラムされた一定時間以上続いたと判断したとき電源遮断手段２２により電源を遮断する一方、電源遮断時に蓋１２を開けたとき再通電手段２３により制御回路２に通電されて、マイクロコンピュータ４が動作し電源遮断手段２２を閉状態にするとともに、閉状態を保持する構成とした。【選択図】  図１
2005160886.tif 000002
【特許請求の範囲】
【請求項１】
上面に開口部を持った本体（１１）と、開口部を覆う開閉自在な蓋（１２）を備えた調理器において、商用電源を開閉する電源遮断手段（２２）が制御回路（２）の商用電源の入力に直列に設けられ、この電源遮断手段（２２）をマイクロコンピュータ（４）により制御するとともに、前記電源遮断手段（２２）と並列に電源遮断時の再通電手段（２３）を設け、この再通電手段（２３）は蓋（１２）の開閉と連動して電源の開閉を行ない、マイクロコンピュータ（４）は全動作が停止している状態があらかじめプログラムされた一定時間以上続いたと判断したとき電源遮断手段（２２）により電源を遮断する一方、電源遮断時に蓋（１２）を開けたとき再通電手段（２３）により制御回路（２）に通電されて、マイクロコンピュータ（４）が動作し電源遮断手段（２２）を閉状態にするとともに、閉状態を保持することを特徴とする調理器の待機電力低減回路。
【請求項２】
前記再通電手段（２３）はリードスイッチ（７）とし、このリードスイッチ（７）を本体（１１）上部または蓋（１２）内部に配し、それと対向する蓋（１２）または本体（１１）上部に磁石（１５）を配置することを特徴とする請求項１記載の調理器の待機電力低減回路。
【請求項３】
前記再通電手段（２３）はマイクロスイッチ（１６）とし、本体（１１）内に配し、蓋（１２）には突起（１８）を設け、蓋（１２）を閉めた状態ではその突起（１８）がマイクロスイッチ（１６）の操作部（１７）を押すか、または介在部材を介してマイクロスイッチ（１６）の操作部（１７）を押す構成としたことを特徴とする請求項１記載の調理器の待機電力低減回路。
【発明の詳細な説明】
【技術分野】
【０００１】
本発明は、炊飯器などの調理物を収納する容器を覆う蓋を有する調理器における待機電力の低減に関するものである。
【背景技術】
【０００２】
調理器である炊飯器には一般的に電源を入り切りする電源スイッチが無い。また、「切り」スイッチを有し、このスイッチを操作することにより、全ての動作を停止することはできるが、制御回路に通電されたままの状態が続き、少ないながらも電力（待機電力）を消費していた。この待機電力を削減する、すなわち炊飯器の制御回路を含む炊飯器の電源を遮断するには、電源プラグをコンセントから抜くしかなく、使い勝手が悪かった。これに鑑み、特開２０００−２８７８３７（特許文献１）に示されるように、制御部を設けて全ての負荷部品が非動作中であると判断すると電源回路からの出力を停止する提案がされている。
【０００３】
【特許文献１】特開２０００−２８７８３７号公報
【発明の開示】
【発明が解決しようとする課題】
【０００４】
しかし、従来の技術にあっては、電源回路からの出力を停止後、再通電するには別に設けた起動スイッチを操作しなければならず、使用者が操作するスイッチが増し、操作スイッチが煩雑になり主機能を含めた操作がわかりにくくなるという問題があった。
【０００５】
また、スイッチが増えることにより操作パネル上のスイッチの配置の自由度も制限され、デザイン的にも制約が大きくなってしまうという問題があった。
【課題を解決するための手段】
【０００６】
このため本発明では、上面に開口部を持った本体と、開口部を覆う開閉自在な蓋を備えた調理器において、商用電源を開閉する電源遮断手段が制御回路の商用電源の入力に直列に設けられ、この電源遮断手段をマイクロコンピュータにより制御するとともに、前記電源遮断手段と並列に電源遮断時の再通電手段を設け、この再通電手段は蓋の開閉と連動して電源の開閉を行ない、マイクロコンピュータは全動作が停止している状態があらかじめプログラムされた一定時間以上続いたと判断したとき電源遮断手段により電源を遮断する一方、電源遮断時に蓋を開けたとき再通電手段により制御回路に通電されて、マイクロコンピュータが動作し電源遮断手段を閉状態にするとともに、閉状態を保持する構成としたものである。
【０００７】
また、請求項２に示すものは、前記再通電手段はリードスイッチとし、このリードスイッチを本体上部または蓋内部に配し、それと対向する蓋または本体上部に磁石を配置する構成としたものである。
【０００８】
また、請求項３に示すものは、前記再通電手段はマイクロスイッチとし、本体内に配し、蓋には突起を設け、蓋を閉めた状態ではその突起がマイクロスイッチの操作部を押すか、または介在部材を介してマイクロスイッチの操作部を押す構成としたものである。
【発明の効果】
【０００９】
このように本発明によれば、全ての動作を停止している状態が一定時間以上続いた場合、炊飯器自身が自動的に制御回路の電源を遮断する電源遮断手段を設けたので、電源プラグを抜かなくても待機電力をなくすことができる。
【００１０】
また、再通電する際にも蓋を開けるだけで良く、特別な操作もいらず使い勝手も良いものである。
【００１１】
さらに、再通電するために使用者が操作する操作部を設ける必要がないので、操作部が増えて操作パネル上の配置の自由度が制限されてデザインを制約されるということがなくなる。
【発明を実施するための最良の形態】
【００１２】
以下、本発明の一実施例を、添付図面を用いて詳細に説明する。
【００１３】
図１は、本発明の回路ブロック図を示し、商用電源に接続された電源プラグ１から電力が制御回路２に供給され、制御回路２内の電源回路３により降圧平滑されマイクロコンピュータ４に供給される。商用電源から制御回路２内の電源回路３に至る途中に、電源遮断手段２２を構成する電源リレー５および電源リレー５と並列に再通電手段２３であるリードスイッチ７が接続されている。電源リレー５はマイクロコンピュータ４の信号により電源リレー駆動回路６により駆動され、その状態が保持される。
【００１４】
マイクロコンピュータ４には、図２に示すようにそのＲＡＭ内にプログラムにより書き込まれ、実行している工程毎に異なるフラグを示す工程認識手段２４と、この工程認識手段２４により全ての動作が停止している切工程であると判断された場合、その経過時間を計時するタイマー等の切経過時間計時手段２５が設けられている。
【００１５】
また、リードスイッチ７は、図３に示すように、蓋１２に内蔵された磁石１５により開閉する。すなわち蓋１２の開閉によりリードスイッチ７が開閉する。そして、蓋１２が閉まっている状態では「開」、蓋１２が開いている状態では「閉」になるように構成している。
【００１６】
９は炊飯のために加熱するヒーターで、ヒーターリレー８によりＯＮ／ＯＦＦされ、内がま（図示せず）に収容された米および水を加熱し米飯にする。このヒーターリレー８はマイクロコンピュータ４の信号により、ヒーターリレー駆動回路１０を介して駆動される。なお、本実施例ではヒーター９により加熱するものとしたが、これに限定されるものではなく誘導加熱方式などのものにも適応できるのは言うまでもない。
【００１７】
このように構成された回路で、蓋１２を開けた状態でリードスイッチ７が閉じる構成としているため、炊飯を開始するため蓋１２を開けるとリードスイッチ７を介して制御回路２に電力が供給され、さらに制御回路２内の電源回路３により降圧平滑されマイクロコンピュータ４に電源が供給され動作を開始する。マイクロコンピュータ４が動作を開始するとマイクロコンピュータ４は電源リレー駆動回路６に駆動信号を出力し、電源リレー５をＯＮし、この状態を保持する。
【００１８】
その後、炊飯するために蓋１２を閉じると、このときにリードスイッチ７がＯＦＦするが、電源リレー５のＯＮ状態が保持されているため、電源は供給されている状態が継続し、制御回路２の動作も継続する。炊飯を開始して、マイクロコンピュータ４に接続された温度センサー（図示せず）により炊飯終了温度を検出すると、マイクロコンピュータ４はヒーターリレー駆動回路１０にＯＦＦ信号を出力し、ヒーターリレー８をＯＦＦし加熱を停止する。
【００１９】
この状態では、加熱は停止しているが制御回路２の通電は継続されているため、見かけ上動作していないが、電力が消費されている。
【００２０】
マイクロコンピュータ４は炊飯が終了してから計時を開始し、あらかじめプログラムにより決めた時間が経過すると、電源リレー駆動回路６にＯＦＦ信号を出力し、電源リレー５をＯＦＦする。これによりマイクロコンピュータ４自身が自ら制御回路２の電源を遮断する。これにより電力消費がなくなる。
【００２１】
本実施例では炊飯終了後から計時を開始するとしたが、炊飯終了後、保温動作に移行し、別途設けた切りスイッチ（図示せず）の信号をマイクロコンピュータ４に入力することで見かけ上の動作を停止させ、その時点から計時を開始する構成としても良い。
【００２２】
続いてこの構成による待機電力を低減させる電源遮断機能について説明する。
【００２３】
ここで、図５はマイクロコンピュータ４に記憶されたプログラムの一部フローチャートで、制御回路２の電源を遮断する手順を示す。
【００２４】
また、図６は制御回路２の電源が遮断されている状態から通電し、マイクロコンピュータ４が電源リレー５を動作させるまでの同フローチャートを示す。
【００２５】
マイクロコンピュータ４は、前記した工程認識手段２４によりステップＳ１で炊飯動作を終了したときから全動作が停止している切工程になっているかを監視している。切工程になっていると判断するとステップＳ２で切経過時間計時手段２５がその状態の経過時間の計時を開始して、あらかじめプログラムしてある一定時間（Ｔ）が経過したかを判定する。
【００２６】
ステップＳ３で一定時間（Ｔ）が経過したと判定すると、ステップＳ４でマイクロコンピュータ４が前記リレー駆動回路６により電源リレー５をＯＦＦし、商用電源を遮断する。これにより商用電源が遮断されるのでマイクロコンピュータ４を含めた制御回路２の電源が絶たれ、待機電力が消費されなくなる。
【００２７】
一方、この状態から再度炊飯を行なうには、このままでは制御回路２に電源を供給することができないため、前記電源リレー５と並列に再通電手段２３であるリードスイッチ７を設け、このリードスイッチ７を蓋１２の開閉と連動させ、蓋１２が閉まっている状態では「開」、蓋１２が開いている状態では「閉」になるように構成している。
【００２８】
通常炊飯器を使用していないときは蓋１２を閉じた状態とするため、蓋１２を閉じた状態では前述した商用電源遮断機能が働き、蓋１２を開けた状態では前記電源リレー５の開閉状態に関係なくリードスイッチ７が閉じることにより制御回路２に通電され制御回路２が動作する。制御回路２に通電されるとマイクロコンピュータ４は電源リレー５をＯＮし、電源を保持する。このときは蓋１２の開閉にかかわりなく制御回路２に通電され続けることになる。
【００２９】
このときの動作は、蓋１２が開けられるとリードスイッチ７を介して制御回路２に通電されて、マイクロコンピュータ４が動作を開始してステップＳ５でリセット動作を行ない、ステップＳ６で電源リレー５をＯＮにする。この後、ステップＳ７の初期設定に続いて炊飯動作などのステップＳ８のメイン処理に移行してゆく。
【００３０】
このようにして、電源遮断機能が働いている状態から再通電するには、蓋１２を開ければ良いものである。
【００３１】
図３は再通電手段２３であるリードスイッチ７と磁石１５の位置関係を示す炊飯器の部分断面図である。
【００３２】
制御回路２を制御基板１３で構成し、制御基板１３は上面が開口した炊飯器本体１１の前面上部に位置させる。また、この制御基板１３の最上部にリードスイッチ７を位置させている。一方、磁石１５は蓋１２の内部の前記リードスイッチ７と対向する位置に設け、蓋１２を閉じたときにその磁束がリードスイッチ７に及ぼすようにし、蓋１２が閉じたときにリードスイッチ７がＯＦＦ、蓋１２が開いたときにリードスイッチ７がＯＮするように構成している。
【００３３】
本図では本体１１内にリードスイッチ７を、蓋１２の内部に磁石１５を配置したが、本体１１内に磁石１５を、蓋１２の内部にリードスイッチ７を配置しても良い。
【００３４】
図４は前記リードスイッチ７の代わりにマイクロスイッチ１６を用いた例で、マイクロスイッチ１６を炊飯器本体１１の上部に位置させ、マイクロスイッチの操作部１７の上部本体に穴２０を設けるとともに、蓋１２に蓋１２を閉じたときに前記穴２０と嵌合する突起１８を設け、蓋１２を閉じた時に前記突起１８により操作部１７を押す構成とした。
【００３５】
本図では操作部１７を突起１８で直接押す構成としたが、操作部１７に対する本体開口部（穴２０等）から水等の侵入を防ぐ目的で設けたゴム等の遮蔽体（図示せず）や、マイクロスイッチ１６を突起１８から離れて設置する場合に用いる操作用のレバー（図示せず）等設置位置に応じて適宜介在部材を介して操作するようにしても良い。
【００３６】
さらに、マイクロスイッチ１６を本体上部に配したが、蓋１２と本体１１が接続されるヒンジ部（図示せず）に配し、蓋１２の開閉によるヒンジ部の回転を用いてマイクロスイッチ１６を操作しても良い。
【００３７】
以上説明したように本発明によれば、全ての動作を停止している状態が一定時間以上続いた場合、炊飯器自身が自動的に制御回路の電源を遮断する電源遮断手段を設けたので、電源プラグを抜かなくても待機電力をなくすことができる。
【００３８】
また、電源遮断機能が働いている状態から再通電する際にも蓋を開けるだけで良く、炊飯器を使用する時は必ず蓋を開けるため、特別な操作もいらず使い勝手も良いものである。
【００３９】
さらに、再通電するために使用者が操作する操作部を設ける必要がないので、操作部が増えて操作パネル上の配置の自由度が制限されず、デザインを制約されてしまうこともなくなる。
【図面の簡単な説明】
【００４０】
【図１】本発明の実施例の制御回路ブロック図である。
【図２】本発明のマイクロコンピュータに内蔵されたプログラムの一部の説明図である。
【図３】本発明の炊飯器の一実施例要部断面図でリードスイッチと磁石の取り付け関係を示す図である。
【図４】本発明の炊飯器の別の一実施例要部断面図でマイクロスイッチの取り付け関係を示す図である。
【図５】本発明のマイクロコンピュータに内蔵されたプログラムの一部、電源リレーをＯＦＦする際のフローチャートである。
【図６】本発明のマイクロコンピュータに内蔵されたプログラムの一部、電源リレーをＯＮする際のフローチャートである。
【符号の説明】
【００４１】
２・・・制御回路
４・・・マイクロコンピュータ
７・・・リードスイッチ
１１・・・本体
１２・・・蓋
１３・・・制御基板
１５・・・磁石
１６・・・マイクロスイッチ
１７・・・操作部
１８・・・突起
２２・・・電源遮断手段
２３・・・再通電手段
【図１】
2005160886.tif 000003
【図２】
2005160886.tif 000004
【図３】
2005160886.tif 000005
【図４】
2005160886.tif 000006
【図５】
2005160886.tif 000007
【図６】
2005160886.tif 000008